(57)【要約】【課題】ヒンジによって開閉可能なドアを有する遠心機において、左開き状態又は右開き状態のいずれの方向にも設置可能とする。【解決手段】前記筐体の４つの側面のうち、前記ロータの中心軸から見てヒンジ１８側と対向する第二面２ｂに隣接する第一面２ａを手前に設置する状態（ドア１５が左開き）と、第三面２ｃを手前に設置する状態（右開き）を選択して設置可能とした。このため、筐体２の上面２ｅであって、ヒンジ１８の反対側の中央付近にタッチ式の液晶ディスプレイ等の操作表示パネル１０を配置し、操作表示パネルの表示向きを１８０度回転可能とした。これによってドアを横開きにする場合に、左開き又は右開きのどちら向きの設置であっても、遠心機１の構造を変更することなく対応できる。【選択図】図１
2016190184.tif 000002
【特許請求の範囲】
【請求項１】
ロータと、前記ロータを収容するロータ室を画定するボウルと、前記ロータを回転駆動するモータと、前記ロータ室の開口部を閉鎖するドアと、運転条件の入力と運転状況の表示を行う操作表示手段と、これらを収容する筐体を備えた遠心機において、
前記ドアは回動手段によって前記筐体に軸支され、
前記操作表示手段は前記ロータ室の開口部に隣接する前記筐体の上面であって、前記回動手段と反対側の中央部分に設けられることを特徴とする遠心機。
【請求項２】
前記操作表示手段に表示される画面の表示方向を変更させる表示切替手段を有することを特徴とする請求項１に記載の遠心機。
【請求項３】
前記開口部は前記筐体の上面であって前記ドアを開けた際に露出する領域に設けられ、
前記操作表示手段は前記筐体の上面であって前記ドアを閉鎖した際に前記ドアによって覆われない領域に設けられることを特徴とする請求項１又は２に記載の遠心機。
【請求項４】
前記回動手段は２つのヒンジであって、前記操作表示手段は、前記ヒンジの並ぶ方向と平行方向に見て前記ヒンジの間に設けられることを特徴とする請求項１から３のいずれか一項に記載の遠心機。
【請求項５】
前記操作表示手段は長方形のタッチ式の液晶ディスプレイ又はＥＬディスプレイであって、その長手方向が前記開口部の周方向に延びるように配置されることを特徴とする請求項１から４のいずれか一項に記載の遠心機。
【請求項６】
前記筐体の４つの側面のうち、前記ロータの中心軸から見て前記操作表示手段が設けられる第二面に隣接する第一面が前面となるように設置することと、前記第二面に隣接する第三面が前面になるように配置することを選択可能とし、
前記操作表示手段における表示方向を前記設置する方向に合わせて上下反転表示可能としたことを特徴とする請求項３から５のいずれか一項に記載の遠心機。
【請求項７】
前記２つのヒンジの中心位置と、ロータの軸心と、前記操作表示手段の中心が直線上に並ぶように配置したことを特徴とする請求項３から６のいずれか一項に記載の遠心機。
【請求項８】
前記ドアの前記操作表示手段に近い辺部には取っ手が２つ設けられ、前記取っ手は前記操作表示手段の短辺の辺方向延長線に挟まれる領域に干渉しない位置に配置されることを特徴とする請求項３から７のいずれか一項に記載の遠心機。
【請求項９】
前記ドアには外部から内部を覗くための透明又は半透明の覗き窓が設けられ、前記のぞき窓は前記２つのヒンジの中心位置と、ロータの軸心と、前記操作表示手段の中心を結ぶ直線に干渉する位置に設けられることを特徴とする請求項７又は８に記載の遠心機。
【請求項１０】
前記表示切替手段は、前記操作表示手段の近傍に設置方向に合わせて選択して利用される複数の押ボタンスイッチを設け、選択された押ボタンスイッチに合わせて前記操作表示手段における表示向きを変更することを特徴とする請求項２に記載の遠心機。
【請求項１１】
前記筐体の４つの側面のうち、前記回動手段が設けられる第四面に電源コードの取出口と、吸気口又は排気口とを設け、
前記第四面と対面する第二面の辺方向中央付近に電源スイッチを設けたことを特徴とする請求項３から１０のいずれか一項に記載の遠心機。
【請求項１２】
前記操作表示手段に画面の角度を変更するチルト機構を設けて、前記チルト機構は前記ロータの中心と前記操作表示手段を結ぶ線と平行な回転軸を基準にチルトすることを特徴とする請求項１から１１のいずれか一項に記載の遠心機。
【請求項１３】
ロータと、前記ロータを収容するロータ室と、前記ロータを回転駆動するモータと、前記ロータ室の開口部を閉鎖するドアと、運転条件の入力と運転状況の表示を行う操作表示手段と、これらを収容する筐体を備えた遠心機において、
前記ドアは回動手段によって前記筐体に軸支され、
前記操作表示手段はタッチ式の液晶ディスプレイ又はＥＬディスプレイであって、前記ドアの上面であって前記回動手段が設けられる辺とは反対側の辺の中央付近に隣接して設けられ、
前記筐体の４つの側面のうち、前記ロータの中心軸から見て前記操作表示手段が設けられる第二面に隣接する第一面を手前に設置することと、前記第二面に隣接する第三面を手前に設置することを選択可能とし、
前記操作表示手段における表示方向を前記設置する方向に合わせて上下反転表示可能にしたことを特徴とする遠心機。
【請求項１４】
前記回動手段は２つのヒンジであって、ヒンジの並ぶ方向と平行方向に見て、前記操作表示手段は前記ヒンジの間に設けられることを特徴とする請求項１３に記載の遠心機。
【請求項１５】
ロータと、前記ロータを収容するロータ室を画定するボウルと、前記ロータを回転駆動するモータと、前記ロータ室の開口部を閉鎖するドアと、運転条件の入力と運転状況の表示を行う操作表示手段と、これらを収容する筐体を備えた遠心機において、
前記ドアはヒンジによって前記筐体に軸支され、
前記操作表示手段における表示向きを反転可能とし、
前記筐体の４つの側面のうち、前記ロータの中心軸から見て前記操作表示手段が設けられる第二面に隣接する第一面を手前に設置することと、前記第二面に隣接する第三面を手前に設置することを選択可能としたことを特徴とする遠心機。
【請求項１６】
ロータと、前記ロータを収容するロータ室を画定するボウルと、前記ロータを回転駆動するモータと、前記ロータ室の開口部を閉鎖するドアと、運転条件の入力と運転状況の表示を行う操作表示手段と、これらを収容する筐体を備えた遠心機において、
前記ドアはドア支持部によって前記筐体にスライド可能に支持され、
前記操作表示手段は前記ロータ室の開口部に隣接する前記筐体の上面であって、前記ドアを開ける方向と反対側の中央部分に設けられることを特徴とする遠心機。
【発明の詳細な説明】
【技術分野】
【０００１】
本発明は試料を分離するための遠心機に関し、ヒンジによって開閉可能なドアを左開き状態又は右開き状態のいずれの状態にも設置可能としたものである。
【背景技術】
【０００２】
遠心機（遠心分離機）は、内部に試料を充填した複数の試料用容器を収容可能なロータと、ロータを回転駆動するモータ等の駆動手段を備え、ロータ室内でロータを回転させて遠心力を作用させることにより試料を遠心分離する。遠心機は、特に、医学、薬学、遺伝子工学、バイオ等の分野において広く用いられている。ここで図８、図９を用いて従来の遠心機（遠心分離機）１０１の構造について説明する。図８の遠心機１０１は、箱型の筐体１０２を備え、その内部の上下中央付近に配置される仕切り板１１２によって上下２段の空間に仕切られる。筐体１０２の下側には高さ調整が可能な脚部１２３が設けられ、遠心機１は床に載置される。筐体１０２の仕切り板１１２の上段の空間には、上面が開口する略円筒状のボウル４が収容され、ボウル４の外周側には防護壁６が配置される。ボウル４の上側の開口は開閉可能なドア１１５によって密閉され、ボウル４とドア１１５によってロータ室３が画定される。ボウル４の周囲には冷凍配管１３が巻回され、図示しない冷却装置によってロータ室３内が所望の温度に保たれる。ロータ室３内には、ロータ組立体３０が設置される。ロータ組立体３０は、スイングロータと、スイングロータを収容した収容カバー３３の組であって、本実施例では収容カバー３３に収容された状態でスイングロータが回転する。スイングロータは、ロータ本体３１と、ロータ本体３１に対してスイング可能に保持される複数のバケット３２によって構成され、ロータ本体３１はロックスクリュー３５によって駆動軸７ａにネジ締結され、蓋部３４はロックスクリュー３５の上部シャフトに挿入され、収容カバー３３の上部開口部を覆う。尚、遠心機１０１に装着されるロータとしては、スイングロータだけでなく、いわゆるアングルロータを用いることも可能である。また、スイングロータであっても、蓋部３４を有する収容カバー３３を用いずに運転することも可能である。
【０００３】
筐体１０２内の仕切り板１１２によって仕切られた下段には、駆動源であってロータ組立体３０を回転駆動させるモータ７がモータハウジング８の内部に収容され、モータハウジング８はダンパーゴム９を介して仕切り板１１２へ取付部材１１３を介して固定される。モータ７はその駆動軸７ａが鉛直方向に伸びるように配置される。駆動軸７ａは、ボウル４の底部に形成される貫通穴からロータ室３の内部空間に達するように延びて、その上端部に駆動軸７ａの回転トルクを伝達するためのクラウン７ｂが設けられ、ロータ組立体３０がクラウン７ｂによって保持される。ロータ組立体３０が高速で回転することにより、遠心力によってバケット３２がスイング軸を中心にして揺動する。ロータ組立体３０は、ロックスクリュー３５を外した組立体の状態でロータ室３から外部に取り外しが可能であるし、ロータ組立体３０を遠心機１にセットした状態で、収容カバー３３の蓋部３４を取り外して、バケット３２だけを取り外すことも可能である。
【０００４】
筐体１０２の上部の後方側には傾斜パネル１１４が設けられ、その右側端部付近には操作表示部１１０が設けられる。操作表示部１１０は、ユーザから運転条件等の入力を受け付けるための入力手段と、ユーザに対して運転状況の情報等を視覚的に表示する表示手段の機能を果たすものであり複数のボタンとＬＥＤ表示装置で形成できる。近年は、操作表示部１１０としてタッチ式の液晶ディスプレイを用いて構成する遠心機が多くなってきた。図８では図示していないが、操作表示部１１０への情報の表示とユーザからの操作入力の受付けの制御、モータ７の回転制御、冷凍配管１３に冷媒を流すための図示しない冷却装置の制御等の遠心機１０１の全体の制御を行う制御部（図示せず）が設けられる。制御部は、マイクロコンピュータ、揮発性および不揮発性の記憶メモリ等を含んで構成される電子回路である。ドア１１５は、特許文献１のように電動式のドアロック機構が設けられる。
【先行技術文献】
【特許文献】
【０００５】
【特許文献１】実願昭６２−４６５５４号（実開昭６３−１５２６５３号）のマイクロフィルム
【発明の概要】
【発明が解決しようとする課題】
【０００６】
従来の遠心機１０１のうち、ロータ室３が大きくドア１１５も大きな構成では、ドア１１５を前開き（ドアのヒンジの反対側にユーザが立つ構成）とすると、開いたドア１１５の取っ手１１６に手が届きにくくなる。そのため、図９に示すように、矢印１３７の方向にドア１１５を開ける、いわゆる横開き方式とするのが主流である。図９ではドア１１５は２つのヒンジ１１８によって開閉可能に固定され、その回動角を制限するために２つのガススプリングダンパー１１９が設けられる。ドア１１５の開放辺（軸支される辺と対面側の辺）の角部近くには錠１１７ａが設けられ、筐体１０２の上部の穴１１７ｂの奥に設けられたドアロック機構（図示せず）に嵌合することによりドア１１５はロックされる。筐体１０２の前面１０２ａの右上部には電源スイッチ１０５が設けられる。
【０００７】
通常、横開きドアはユーザによる開き方向の要望、即ち左開きか右開きかにユーザ毎に差がある。従来技術ではユーザが立つ位置を基準として左側にヒンジを設けて左開きとし、ドア１１５の奥に操作表示部１１０が配置される構成が一般的であるため、反対方向にドア１１５が開く右開きの遠心機１０１を顧客が要望した場合、本体構成の改造が必要であり、手間だけでなくコストがかかってしまうという課題があった。また、小形の遠心機においては前開きドアとして、ドアのヒンジと反対側の角部付近の上面に操作表示部を配置する構成が見られるが、これはドアのヒンジの反対側に必ず使用者が立つ前提で作られていたため、側面側に使用者が立って作業を行う、いわゆる右開きドア又は左開きドアとなる向きに設置することは想定されていない。このため、ユーザが強引に設置方向を変えてしまうと、ユーザの作業方向と操作表示部での表示向きが一致しないことになり、操作がしづらいという問題があった。
【０００８】
本発明は上記背景に鑑みてなされたもので、その目的は、ヒンジによって開閉可能なドアを有する遠心機において、ドアを左開き状態又は右開き状態のいずれの方向にも設置可能とすることにある。
本発明の他の目的は、ドアを左開き状態又は右開き状態のいずれかの方向に設置した際に、それに合わせて表示部における画面の表示方向を変更可能とした遠心機を提供することにある。
本発明のさらに他の目的は、ドアを左開き状態又は右開き状態のいずれに設置する場合であっても、構造変更無しに対応できるようにした遠心機を提供することにある。
【課題を解決するための手段】
【０００９】
本願において開示される発明のうち代表的なものの特徴を説明すれば次の通りである。
本発明の一つの特徴によれば、ロータと、ロータを収容するロータ室を画定するボウルと、ロータを回転駆動するモータと、ロータ室の開口部を閉鎖するドアと、運転条件の入力と運転状況の表示を行う操作表示手段と、これらを収容する筐体を備えた遠心機において、ドアは回動手段によって筐体に軸支され、操作表示手段は、筐体の上面であって、ロータ室の開口部に隣接する位置であり、回動手段と反対側となる中央部分に設けた。また、操作表示手段に表示される画面の表示方向を変更させる表示切替手段を設けた。ロータ室の開口部は、筐体の上面であってドアを開けた際に露出する領域に設けられ、操作表示手段は筐体の上面であってドアを閉鎖した際にドアによって覆われない領域に設けられる。
【００１０】
本発明の他の特徴によれば、回動手段は２つ又は２つ以上のヒンジであって、ヒンジの並ぶ方向と平行方向に見て、操作表示手段はヒンジの間に設けられる。操作表示手段は長方形のタッチ式の液晶ディスプレイ又はＥＬディスプレイであって、その長手方向が開口部の周方向に延びるように配置される。そして、筐体の４つの側面のうち、ロータの中心軸から見て操作表示手段が設けられる第二面が右面になる設置（左開き状態）と、第二面が左面になる配置（右開き状態）を選択可能とし、操作表示手段における表示方向を設置する方向に合わせて上下反転表示可能とした。この際、２つのヒンジ間（又は外側の２つのヒンジ間）の中心位置と、ロータの軸心と、操作表示手段の中心が直線上に並ぶように配置すると良い。
【００１１】
本発明のさらに他の特徴によれば、ドアの操作表示手段に近い辺部には少なくとも取っ手が２つ設けられ、取っ手は操作表示手段の短辺の辺方向延長線に挟まれる領域に干渉しない位置に配置すると良い。ドアには外部から内部を覗くための透明又は半透明の覗き窓が設けられ、のぞき窓は２つのヒンジの中心位置と、ロータの軸心と、操作表示手段の中心を結ぶ直線に干渉する位置に設けられる。操作表示手段の近傍に設置方向に合わせて選択して利用される複数の押ボタンスイッチを設け、選択された押ボタンスイッチに合わせて操作表示手段における表示向きを変更する。また、筐体の４つの側面のうち、回動手段が設けられる第四面に電源コードの取出口と、吸気口又は／及び排気口とを設け、第四面と対面する第二面の辺方向中央付近に電源スイッチを設けた。尚、操作表示手段に画面の角度を変更するチルト機構を設けて、チルト機構はロータの中心と操作表示手段を結ぶ線と平行な回転軸を基準にチルトするように構成しても良い。
【００１２】
本発明のさらに他の特徴によれば、遠心機のドアは、レール等のドア支持部によって筐体にスライド可能に支持され、操作表示手段はロータ室の開口部に隣接する筐体の上面であって、ドアを開ける方向とは反対側の筐体上面のドアを開ける方向と直交する方向の中央部分に設けるようにした。
【発明の効果】
【００１３】
本発明によれば、使用者の立つ位置とドアの開き方向（右開きか左開きか）との関係をユーザが自由に選択可能となり、複数の面からロータ室へのアクセスが可能となり、設置の自由度の高い遠心機を実現できる。
【図面の簡単な説明】
【００１４】
【図１】本発明の遠心機１の斜視図である。
【図２】本発明の遠心機１の別の角度から見た斜視図である。
【図３】本発明の遠心機１の上面図であって、（１）はドアが左開きとなる左開き設置状態を示す図で、（２）はドアが右開きとなる右開き設置状態を示す図である。
【図４】本発明の第二の実施例に係る遠心機５１の斜視図である。
【図５】本発明の第二の実施例に係る遠心機５１の上面図である。
【図６】本発明の第三の実施例に係る遠心機７１の斜視図である。
【図７】本発明の第四の実施例に係る遠心機の操作表示パネルの側面図である。
【図８】従来の遠心機１０１の正面図であり、主要部分を断面図で示している。
【図９】従来の遠心機１０１の斜視図である。
【発明を実施するための形態】
【実施例１】
【００１５】
以下、本発明の実施例を図面に基づいて説明する。なお、以下の図において、同一の部分には同一の符号を付し、繰り返しの説明は省略する。また、本明細書においては、前後左右、上下は図中に示す方向であるとして説明するが、前後左右方向については設置状況に応じて変わるので、ここではドア１５が左開きとなるように設置する際の方向を基準にして説明する。
【００１６】
遠心機１は、箱型の筐体２の形状と、操作表示パネル１０と電源スイッチ５の設置位置が異なるものの、ロータ室３の構造、ロータ室３に収容されるロータ組立体３０の種類、筐体２の内部に配置される構成物は基本的に図８、９の遠心機１０１と同じである。本実施例の遠心機１は、ドア１５が左開きとなるいわゆる“左開き設置”に加えて、遠心機１を上面視でロータの回転中心（軸心）を基準に１８０度回転させた状態で設置する、いわゆる“右開き設置”も可能にしたものである。筐体２にはドア１５に隣接する傾斜パネル（図９参照）は設けられずに、操作表示パネル１０は筐体２の上面２ｅに水平に設けた。
【００１７】
筐体２の上面の一辺（左辺）には上面視で略正方形のドア１５の一辺を軸支する２つの回動手段が設けられる。ここで回動手段としてヒンジ（蝶番）１８を用いており、ドア１５はヒンジ１８によって約９０度回動する。また、ドア１５の回動角を制限するために、２つのガススプリングダンパー１９が設けられる。ドア１５の内面にはロータ室の上壁となる円形の内壁面１５ｂが形成される。内壁面１５ｂの中心近くには、作業者が外部からロータ室３の内部を覗くための透明又は半透明の覗き窓２０が設けられる。図１では図示を省略しているが、ロータ室内を密閉するためにロータ室の開口部３ａの周囲にはゴム製のパッキン（シールラバー）が設けられる。ドア１５のヒンジ１８が設けられる辺とは反対側の辺には、ドア１５を開ける際にユーザが手を掛けるための取っ手１６が２カ所設けられる。取っ手１６はドア１５の外縁から内側に窪むように形成してユーザが手によりドア１５に上方向又は下方向の力を付与しやすくしたもので、ユーザはドア１５を矢印３７の方向に移動させることによりドア１５を開けることができる。ドア１５の開放辺の角部近くには錠１７ａが設けられ、筐体２の上部の穴１７ｂの奥に設けられたドアロック機構（図示せず）に嵌合することによりドア１５はロックされる。
【００１８】
筐体２は、金属製の薄板による外側側面を有して構成され、外側側面には上面視で反時計回りの方向に第一面２ａ、第二面２ｂ、第三面２ｃ、第四面２ｄ（図２参照）が隣接して設けられ、これらの上面側を接続するように上面２ｅが設けられる。筐体の下側には４つの脚部２３が設けられる。脚部２３は、例えば、ネジ式で高さ調整だけができるような簡単なものでも良いし、特定方向又は全方向に移動可能なキャスターを用いるようにしても良い。遠心機１は、一般的なドア１５を左開き状態で使う場合には、筐体の４つの面のうちの第一面２ａが前側になるように設置する。その場合は、第一面２ａと隣接する第二面２ｂが右側に位置することになる。ここで第一面２ａ、第三面２ｃ（図２参照）、第四面２ｄ（図２参照）は外面が平面であるものの、第二面２ｂは平面状で無く緩やかな曲面状、又は、多面状であって第一面２ａ、第三面２ｃの第二面２ｂと接する辺部間を平面でつないだ仮想面よりも外側に突出するように形成される。これは、第二面２ｂの第一面２ａ、第三面２ｃと接する辺部付近の角落としをした形状との見方もできる。第二面２ｂの水平方向の中央付近、上下方向では半分よりも上側部分には電源スイッチ５が設けられる。電源スイッチ５は、遠心機１全体の電源をオフ又はオンとするものであり、遠心機１を操作するユーザが不用意に触れてしまうことを防止するため、第二面２ｂよりも窪む凹部を形成し、その凹部の中にスイッチの操作部を設けるようにした。
【００１９】
筐体２の上面２ｅは、ほぼ中央にロータ室３の開口部３ａが形成され、開口部３ａからみて第二面２ｂに隣接する付近に操作表示パネル１０が設けられる。この操作表示パネル１０の設置領域を上面２ｅに設けるために、筐体２の側面の一つ（第二面２ｂ）を上面視で外側に凸状になるように形成して、ロータ室の開口部３ａに隣接す領域を確保した。操作表示パネル１０は、操作手段（入力手段）と表示手段（出力手段）を兼ねた操作表示手段であって、タッチ式の液晶ディスプレイ又はＥＬディスプレイ（electroluminescence display）を用いることができる。操作表示パネル１０の画面形状は長方形であり、その長手方向が開口部３ａの周方向に延びるように配置される。操作表示パネル１０の近傍には操作表示パネル１０に表示される画面の表示方向を変更させる表示切替手段（図示せず）を操作するための３つの押ボタンスイッチ１１ａ〜１１ｃが設けられる。操作表示パネル１０の設置位置は、ロータの中心軸（回転軸）からみてヒンジ１８とは反対側の辺部のほぼ中央付近に設けられる。操作表示パネル１０は、図示しない画面表示コントローラ、タッチ入力コントローラにより制御され、これらはマイクロコンピュータのプログラミングにより、受け取った信号に応じて画面向きを変える上下反転表示機能を持たせる。上下反転表示機能とは、作業者から見て操作表示パネル１０の表示方向の上側と下側を反転させる機能であって、図示しないマイクロコンピュータによってソフトウェア制御で実現できる。
【００２０】
図２は本発明の遠心機１の別の角度から見た斜視図である。ここでは筐体２の第三面２ｃと第四面２ｄが見える状態である。第一面２ａと第三面２ｃがロータ組立体３０の回転軸に対して対向する面（対面）となる。また、第二面２ｂと第四面２ｄがロータ組立体３０の回転軸に対して対向する面（対面）となる。遠心機１では、第一面２ａが前になるように遠心機１を配置する左開き状態だけでなく、第三面２ｃが前になるように遠心機１を配置する右開き状態も可能とした。そのため第三面２ｃには吸排気口、電源スイッチ、電源コード等が設けられていない。電源コード２１は、前面として使用されない第四面２ｄから引き出されるように配置した。この際、水平方向にみて第四面２ｄの中央付近に電源コード２１の取出口２１ａを配置すれば、右開き状態と左開き状態のいずれの方向に設置する場合でも電源コード２１が邪魔になることはない。また、風窓２２ａ、２２ｂも第四面２ｄに設けるようにした。風窓２２ａ、２２ｂは複数のスリットにて形成して、筐体２の内部と外部との間に空気の流通を可能としたものであり、吸気口として、排気口として、又は換気用の窓として利用できる。
【００２１】
図３は本発明の遠心機１の上面図であって、（１）はドアが左開きとなる“左開き設置状態”を示す図で、（２）はドアが右開きとなる“右開き設置状態”を示す図である。通常の遠心機１は、（１）に示す左開き設置であって、第一面２ａが前面（ユーザが立つ側）になり、第三面２ｃが後面となるように設置する。筐体２は上面視でロータ室３を収容する正方形の部分、即ちドア１５によって覆われる四角形部分に加えて、上面視でドア１５から隣接する部分に上面が台形状に露出する部分を有するようにした。この台形の長い辺の辺方向の中央付近、具体的には第二面２ｂの辺方向を１／３ずつ区切った際の中央部の範囲内（中央部分）に操作表示パネル１０を設けた。操作表示パネル１０は、図に示したユーザによるアクセス方向からみると縦長になる液晶表示パネルである。２つのヒンジ１８間の中心位置（第四辺２ｄの辺方向の間隔の中央位置）と、ロータ組立体３０の中心点（回転軸）と、操作表示パネル１０の中心が仮想的な直線２５に並ぶように配置される。また覗き窓２０もこの直線２５上に配置される。つまり、遠心機１の上面構造が、直線２５に対して対称に構成される。操作表示パネル１０の三辺の脇には、遠心機１の設置方向に合わせて選択して利用される３つの押ボタンスイッチ１１ａ〜１１ｃが設けられる。押ボタンスイッチ１１ａ〜１１ｃのうちいずれかを押すと、押した押ボタンスイッチ側が下になる様、表示画面の向きが変わる。例えば、図３（１）のようにドア１５が左開きとなる場合は、入力操作をする際の最初に、押ボタンスイッチ１１ａを押すことにより第一面２ａ側から操作表示パネル１０の表示画面が正しく読めるように画面の表示向きが変更される。押ボタンスイッチ１１ａ〜１１ｃは表示向きを切替えるための専用のスイッチとしても良いし、その他のスイッチと兼用するようにしても良い。
【００２２】
図３（２）は、遠心機１のドア１５が右開き設置となるように、第三面２ｃが前面側となるように設置したものである。第三面２ｃは、上面視で上面２ｅのうちドア１５にて覆われない台形部分の、最も長い辺を除く３つもの辺を含むように形成される。よって、厳密には第三面２ｃ自体が３つの面にて形成されるように見えるが、ここでは３つの面を含む部分を第三面２ｃと称する。実際の製品においては、第三面２ｃに含まれる３つの面の角部がなめらかな曲面となるようにすることもある。このように図３（２）の設置では操作表示パネル１０の位置が左側になる。この際、ユーザは押ボタンスイッチ１１ａ〜１１ｃのうち手前側に位置する押ボタンスイッチ１１ｂを押すことにより、操作表示パネル１０の表示画面が第三面２ｃ側から正しく読めるように表示向きが変更される。このようにヒンジ１８の反対側の面（第二面２ｂ）の中央に操作表示パネル１０を配置した。この位置関係は、操作表示パネル１０が、２つのヒンジ１８の並ぶ方向と平行方向に見て、２つのヒンジの間に設けられることになる。このように配置したことにより、ドア１５を左開き状態又は右開き状態のいずれの方向に設定してもユーザから操作表示パネル１０への距離は変わらないので、見やすい状態を保つことができる。ここで第二面２ｂの辺方向に見て取っ手１６の占める範囲と、操作表示パネル１０の占める範囲は重複しないように配置される。別の言い方をすれば取っ手１６は操作表示パネル１０の短辺の辺方向延長線に挟まれる領域に干渉しない位置に配置される。このように取っ手の上面視で長辺の直交方向への投影範囲に操作表示パネル１０を配置しないようにしたので、作業者が取っ手１６を操作しようとして手を近づけたり、取っ手１６から手を離そうとしたりした際に、誤って操作表示パネル１０を触ってしまうことが効果的に防止されるので、タッチ式のディスプレイを用いた遠心機１においては誤操作を抑制できる。
【００２３】
本実施例のように操作表示パネル１０を配置する構成では、必然的に操作表示パネル１０の分だけ上面２ｅがロータ室３の外径（ここでは６００ｍｍ〜７００ｍｍ程度）に対応した上面視正方形部分よりも外側に突出することになる。その突出を、遠心機１を上から見て、遠心機１のロータ組立体３０の回転中心（又は重心）Ｄを中心とし、中心から最も遠い遠心機１上の点Ｅを通る２点鎖線で示す仮想円Ｆの内側に収める構成とした。これはドア１５にて覆われない上面２ｅのうち、操作表示パネル１０と押ボタンスイッチ１１ａ〜１１ｃの設置箇所以外の不要な角は落とすようにして実現したとも表現できる。尚、本実施例の遠心機１では、第二面２ｂが前方側となる、いわゆるドア１５の“前開き設置”とすることも可能である。この場合は操作表示パネル１０が手前側（前方側）に来ることになるが、押ボタンスイッチ１１ｃを押すようにすれば、第二面２ｂ側から表示画面を正しく読むことができる。また、その設置状態においても風窓２２ａ、２２ｂが前方にならないので、風窓２２ａ、２２ｂ（図２参照）から排出される空気がユーザに当たる恐れもない。
【００２４】
以上、本実施例では筐体２の外形形状と、操作表示パネル１０の設置位置を工夫することにより、ドア１５が右開き設置と左開き設置、前開き設置のいずれの方向にも設置できるように構成した。この結果、本体正面を第一面２ａ〜第三面２ｃのいずれかにするかが任意となるため、本体構造の改造を伴わずに同一の本体で顧客要望に合せたドア開き方向の遠心機１を提供できるようになった。使用者は押ボタンスイッチ１１ａ〜１１ｃにより操作表示パネル１０の表示向きを変えることができ、ヒンジ１８が設けられる第四面２ｄ以外のどの面に立っていても、見やすく操作しやすい環境が得られる。
【実施例２】
【００２５】
次に図４及び図５を用いて本発明の第二の実施例を説明する。図４は本発明の第二の実施例に係る遠心機５１の斜視図である。第二の実施例では“左開き設置”に加えて “右開き設置”も可能とするために、操作表示パネル６０をドア６５の上面に設けた。ドア６５の上面における操作表示パネル６０の設置位置は、第二面５２ｂに近い辺部付近であって、その辺方向のほぼ中央付近とした。操作表示パネル６０の位置から離れた位置に２つの取っ手６６が設けられる。このように操作表示パネル６０がドア６５の上面に位置するため、ドア６５を約９０度開けた状態、即ち図４に示す状態ではユーザは操作表示パネル６０にて入力操作をすることができないし、表示内容を確認することもできない。しかしながら、筐体５２の上面５２ｅ内に操作表示パネル６０を設けるために、第一の実施例のようなドア１５によって覆われない上面の領域を確保する必要が無いため、筐体５２の第二面５２ｂを１つの平面にて形成でき、筐体５２の形状を上面視でほぼ正方形に形成できる。電源スイッチ５は、第一の実施例と同様に第二面５２ｂの水平方向（上面視で辺方向）の中央付近、上下方向では半分よりも上側部分に配置した。ここでは第二面５２ｂの表面位置よりも窪む凹部を形成し、その凹部の中にスイッチの操作部を設け、ユーザが第一面５２ａ〜第三面５２ｃのいずれからも操作しやすくした。
【００２６】
図５は本発明の第二の実施例に係る遠心機の上面図である。操作表示パネル６０は、ドア６５の上面において、ロータ組立体３０の中心点からヒンジ１８とは反対側であって、且つ第二面５２ｂの辺方向の中央部に配置するようにした。好ましくは、ロータ組立体３０の回転中心と第二面５２ｂとの間の部分６９ａ、かつ、第二面５２ｂ側の辺方向の中央部６９ｂに含まれる長方形の範囲６９内に配置する。更に好ましくは、操作表示パネル６０が、ロータ組立体３０の中心点と第四面５２ｄの辺方向中心位置を通る直線６８の線上にかかるように配置する。このように操作表示パネル６０を直線６８上に配置すれば、遠心機５１を右開き設置と左開き設置のいずれであっても、ユーザから操作表示パネル６０の視認性を同等とすることができる。尚、図４、図５ではドア６５の取っ手６６の図示を省略しているが、第一の実施例と同様に上面視において操作表示パネル６０の位置と取っ手６６の位置（投影位置）が重複しないようにすると、ドア６５を開ける際に不用意に操作表示パネル６０に触れることがないので、誤操作を防止できる。
【００２７】
第二の実施例によれば、遠心機５１の構成を変えることなくユーザの希望によって右開き設置と左開き設置のいずれにも設置可能となるので、使い勝手の良い遠心機を実現できた。尚、第二の実施例であっても第一の実施例と同様に、第二面５２ｂが前方に来る “前開き設置”を除外するものではない。前開き設置を可能とするためには、操作表示パネル６０の上下反転表示（１８０度回転表示）機能だけでなく、９０度回転表示機能をも採用し、ユーザは押ボタンスイッチ６１ａ〜６１ｃのいずれかを押すことによって表示方向を容易に変更できる。または、操作表示パネル１０を使って、表示方向を設定するようにして良く、更には、画面表示切替ボタンを一つ設け、押圧するたびに表示方向を切りかえるようにしても良い。タッチ式の液晶表示パネルにおける画面回転表示機能は、コンピュータの分野において公知であり、公知の画像表示技術を用いて容易に実現できる。
【実施例３】
【００２８】
図６を用いて本発明の第三の実施例を説明する。図６は本発明の第三の実施例に係る遠心機７１の斜視図である。図６においてドア８５はドア支持部によってスライド可能に保持され、ロータ室７３の開口部７３ａを覆う様にスライドさせる事でロータ室７３を密閉（又は閉鎖）する。ユーザは、取っ手８６を押さえながらドア８５を矢印８９の方向にスライドさせることで、ドア８５がロータ室７３の開口部７３ａの下側縁部と重ならない様に開放状態とし、ロータ室７３へのロータ７４や試料の出し入れを行う。スライド式ドアの機構については特公平０７−２４７８８号公報で公知であり、ここではドア支持部として、レール８８と、レール８８上を移動する滑り部材（又は転がり部材）によって実現できる。第三の実施例では、スライド式のドア８５の場合でも第一及び第二の実施例と同様に“左スライド設置（開ける際にドアをユーザからみて左側にスライドさせる機構）”に加えて”右開き設置”も可能とするために、操作表示パネル８０を筐体７２の上面７２ｅ上の、ドア８５を開く時にスライドさせる方向８９とは反対側の中央付近に配置した。また、第一及び第二の実施例と同様に、第四面７２ｄに風窓（図示せず）や電源コード２１を配置し、更に第四面７２ｄに突出するようにドアカバー８４を設けた。ドアカバー８４はロータ室７３を開放させた際にスライドさせて開いたドア８５の突出部を収容すると共に外部から触れることができないように保護するためのものである。その他、電源スイッチ５の配置、画面表示向きの切り替え手段たる押ボタンスイッチ８１ａ〜８１ｃについては第一、第二の実施例と同様とする事で、本体正面を第一面７２ａ、第二面７２ｃ、第三面７２ｃのいずれかにするかが任意となり、本体構造の改造を伴わずに同一の本体で顧客要望に合せたドア開き方向の遠心機７１を提供できるようになる。
【実施例４】
【００２９】
図７は本発明の第四の実施例を示す遠心機の操作表示パネルの側面図である。第四の実施例では第一、第三の実施例の操作表示パネル１０、８０の代わりに、チルト可能な操作表示パネル９０を設けるようにしたもので、筐体の操作表示パネルを設ける部分以外の構成は図１、図６にて示した遠心機１、７１と同様である。ここではロータの中心と操作表示パネル９０を結ぶ線と平行な回転軸を基準に矢印９６の方向にチルト、即ち、操作表示パネル９０は第一面及び第三面の方向にチルトするように構成したが、この２方向のチルトだけでなく、第２面方向にも向けるように多方面にチルトできるように構成しても良い。筐体の上面９４の形状は外縁の形状は図１に示す上面２ｅとほぼ同じであるが、操作表示パネル１０が配置されていた付近に窪み９４ａを形成して、その窪み９４ａ内に操作表示パネル９０を配置した。窪み９４ａには上方に延びる支持部９５が形成される。一方、操作表示パネル９０の操作面９０ａの反対側となる裏面９０ｂの中央付近にリブ９１が形成されリブ９１には揺動軸９３が設けられ、支持部９５の凹部によって軸支されることにより、いわゆるチルト機構を実現した。リブ９１と支持部９５の接触部分には僅かな凹凸を設けて、これらの間にバネ手段（図示せず）を介在させて、チルトさせる際のクリック感を出すと共に、使用時に不用意に回動しないように構成すると良い。このようにして操作表示パネル９０の一つの辺部９０ｃが窪み９４ａに接するようにすることにより、ユーザに対して見やすい角度に操作表示パネル９０を保持することができる。操作表示パネル９０は揺動軸９３を中心に矢印９６の方向に揺動可能なため、左開き設置の際は辺部９０ｃを窪み９４ａに接するようにし、右開きの場合は辺部９０ｄが窪み９４ａに接するようにする。
【００３０】
以上、本発明を実施例に基づいて説明したが、本発明は上述の実施例に限定されるものではなく、その趣旨を逸脱しない範囲内で種々の変更が可能である。例えば、上述の実施例ではユーザが押ボタンスイッチ１１ａ〜１１ｃ、６１ａ〜６１ｃ等を押すことによって操作表示パネル１０、６０の画面表示の向きを変更するように構成したが、押ボタンスイッチを省略して、遠心機の設置時の初期設定項目の一つとして画面表示向きを切替えるようにしても良いし、その他の手段や方法によって画面表示の回転表示をするようにしても良い。さらには、ユーザの位置を人感センサやその他のセンサによって検出して、その検出結果によって操作表示パネルの表示向きを自動的に変更するように構成しても良い。
【符号の説明】
【００３１】
１  遠心機                ２  筐体                    ２ａ  第一面
２ｂ  第二面              ２ｃ  第三面                ２ｄ  第四面
２ｅ  上面                ３  ロータ室                ３ａ  開口部
４  ボウル                ５  電源スイッチ            ６  防護壁
７  モータ                ７ａ  駆動軸                ７ｂ  クラウン
８  モータハウジング      ９  ダンパーゴム            １０  操作表示パネル
１１ａ〜１１ｃ  押ボタンスイッチ                      １３  冷凍配管
１５  ドア                １５ｂ  内壁面              １６  取っ手
１７ａ  錠                １７ｂ  穴                  １８  ヒンジ（蝶番）
１９  ガススプリングダンパー                          ２０  覗き窓
２１  電源コード          ２１ａ  取出口              ２２ａ  風窓
２３  脚部                ３０  ロータ組立体          ３１  ロータ本体
３２  バケット            ３３  収容カバー            ３４  蓋部
３５  ロックスクリュー    ３７  ドアの開放方向        ５１  遠心機
５２  筐体                ５２ａ  第一面              ５２ｂ  第二面
５２ｃ  第三面            ５２ｄ  第四面              ５２ｅ  上面
６０  操作表示パネル      ６５  ドア                  ６６  取っ手
６１ａ〜６１ｃ  押ボタンスイッチ                      ７１  遠心機
７２  筐体                ７２ａ  第一面              ７２ｂ  第二面
７２ｃ  第三面            ７２ｄ  第四面              ７２ｅ  上面
７３  ロータ室            ７３ａ  開口部              ７４  ロータ
８０  操作表示パネル      ８１ａ〜８１ｃ  押ボタンスイッチ
８４  ドアカバー          ８５  ドア                  ８６  取っ手
８８  レール              ８９  ドアを開ける方向      ９０  操作表示パネル
９０ａ  操作面            ９０ｂ  裏面                ９０ｃ、９０ｄ  辺部
９１  リブ                ９３  揺動軸                ９４  上面
９５  支持部              １０１  遠心機              １０２  筐体
１０２ａ  前面            １０５  電源スイッチ        １１０  操作表示部
１１２  仕切り板          １１３  取付部材            １１４  傾斜パネル
１１５  ドア              １１５ｂ  内壁面            １１６  取っ手
１１７ａ  錠              １１７ｂ  穴                １１８  ヒンジ（蝶番）
１１９  ガススプリングダンパー                        １２３  脚部
【図１】
2016190184.tif 000003
【図２】
2016190184.tif 000004
【図３】
2016190184.tif 000005
【図４】
2016190184.tif 000006
【図５】
2016190184.tif 000007
【図６】
2016190184.tif 000008
【図７】
2016190184.tif 000009
【図８】
2016190184.tif 000010
【図９】
2016190184.tif 000011